(57)【要約】【課題】  簡素化された対象の組立て及び異なった様式の設置を可能にする金属、合成物質又は木材から成る材料及び部品のための結合技術を開発することである。【解決手段】  金属板から成る２つの部品（１，２）の中空リベット結合装置は、第１の部品（１）と当接する第１の部品（１）と結合すべき第２の部品（２）のリベット孔（４）に差し込むために第１の部品（１）に形成されたリベット軸（３）を備える。２つの部品（１，２）をリベット止めする場合、第２の部品（２）におけるリベット孔（４）に差し込まれ、この第２の部品を越えて突出するリベット軸（３）の自由端は、リベット工具によって閉鎖ヘッド（５）と成るように変形される。【選択図】        図１ａ
2005246481.tif 000002
【特許請求の範囲】
【請求項１】
パレット状の台座（１７）と、この台座の上に存在する、閉鎖可能な注入パイプ（８）及び採取用フィッティング（１３）を接続するための排出パイプ（１１）を有する合成物質から成る内部容器（７）と、並びに格子ケージ（１４）又は金属板ジャケットとして形成された外部ジャケットとを装備しており、金属板、合成物質又は木材から成る台座（１７）が、内部容器（７）を支持するための底部（１８）並びに角及び中央の足部（１９〜２２；２３〜２６）を備え、これらの足部が、足部フレーム（２７）又はスキッド（６２）に取り付けられており、これらの足部に台座（１７）の底部（１８）並びに内部容器（７）の外部ジャケットが固定されている特に液体及びばら荷のための輸送及び貯蔵用容器（６）を組み立てるための金属、合成物質又は木材から成る部品と金属又は合成物質から成る部品を結合するための中空リベット結合装置において、
第１の部品（１）に一体的に形成された又は別個に溶接された少なくとも１つのリベット軸（３）が、第１の部品（１）とリベット止めすべきこの第１の部品（１）に当接する第２の部品（２）におけるリベット孔（４）に差し込むために設けられており、第２の部品（２）を越えて突出する第１の部品（１）のリベット軸（３）の自由端（３ａ）が、第２の部品（２）に当接する閉鎖ヘッド（５）と成るように変形可能であることを特徴とする中空リベット結合装置。
【請求項２】
液体及びばら荷のための輸送及び貯蔵用容器（６）を組み立てる際に、格子ケージ（１４）の下部フレーム（３１）又は金属板ジャケットの下縁部及び台座（１７）の金属板底部（１８）の外縁部（３０）を角足部（１９〜２２）及び中央足部（２３，２５，２６）に固定するため及び角足部（１９〜２２）及び中央足部（２３，２５，２６）を台座（１７）の足部フレーム（２７）に固定するための請求項１に記載の中空リベット結合部において、
角足部（１９〜２２）及び中央足部（２３，２５，２６）に一体的に形成された又は別個に溶接された上及び／又は下のリベット軸（３４，３５）が設けられており、これらの軸が、角足部（１９〜２２）もしくは中央足部（２３，２５，２６）を介して上及び下に向かって突出し、これらの軸の自由端（３４ａ，３５ａ）が、それぞれ１つの閉鎖ヘッド（４３）と成るように変形可能であることを特徴とする中空リベット結合装置。
【請求項３】
角足部（１９）の上下のリベット軸（３４，３４；３５，３５）が、角足部（１９）の湾曲したシェル用金属板（２８）の上の支持縁部（２９）と下の接地縁部（３２）のそれぞれ２つの外側の部分（２９ａ，２９ｂ；３２ａ，３２ｂ）に配設されていることを特徴とする請求項２に記載の中空リベット結合部。
【請求項４】
角足部（１９〜２２）のシェル用金属板（２８）の下のリベット軸（３５，３５）が、上のリベット軸（３４，３４）に対して平行に内側に向かって、また垂直方向に角足部（１９〜２２）の上の支持縁部（２９）と下の接地縁部（３２）の垂直間隔（３６）に応じて互いにずらされて配設されていることを特徴とする請求項２又は３に記載の中空リベット結合装置。
【請求項５】
下のリベット軸（３５，３５）が、角足部（１９）のシェル用金属板（２８）の２つの外縁部（２８ａ，２８ｂ）から内側に向かって曲げられたそれぞれ１つの脚部（４４，４５）に形成又は溶接されていることを特徴とする請求項４に記載の中空リベット結合装置。
【請求項６】
角足部（１９〜２２）のシェル用金属板（２８）のそれぞれ１つの上下のリベット軸（３４，３５）が、チューブ部材（３７）の２つの曲がった端部によって構成されていること、このチューブ部材（３７）が、シェル用金属板（２８）から内側に向かって曲げられた２つの外側の脚部（３８，３９）に形成又は溶接されていることを特徴とする請求項３又は４に記載の中空リベット結合装置。
【請求項７】
支持面（４８）を備える上の壁（４７）と、接地面（５０）を有する下の壁（４９）と、ボックス（４６）の２つの側壁（５１，５２）に形成又は溶接されたそれぞれ１つの下のリベット軸（３５）を有する２つのチューブ部材（５３，５３）と、上のボックス壁（４７）の支持面（４８）に形成又は溶接された２つの上のリベット軸（３４，３４）とを有する開放したボックス（４６）の形の２つの横の中央足部（２５，２６）と１つの後の中央足部（２３）が設けられていることを特徴とする請求項２に記載の中空リベット結合装置。
【請求項８】
支持面（４８）を備える上の壁（４７）と、接地面（５０）を有する下の壁（４９）と、ボックス（４６）の傾斜した２つの側壁（５１，５２）に形成又は溶接されたそれぞれ１つの上下のリベット軸（３４，３５）を構成する曲がった２つの端部を有する２つのチューブ部材（５３，５３）とを有する開放したボックス（４６）の形の２つの横の中央足部（２５，２６）が設けられていることを特徴とする請求項２に記載の中空リベット結合装置。
【請求項９】
２つの横の中央足部（２５，２６）の下の壁（４９）が、内側に、下に向かって曲がった、台座底部（１８）の補強ウェブ（５５）の２つの外側の端部（５６）のそれぞれ１つのための支持面（５４）を備えていること、横の中央足部（２５，２６）の下のボックス壁（４９）から、台座底部（１８）の補強ウェブ（５５）の端部（５６）を有する中央足部のリベット止めをするための内側に向かって整向された少なくとも１つの中空のリベット軸（５７）が形成されていることを特徴とする請求項７又は８に記載の中空リベット結合装置。
【請求項１０】
輸送及び貯蔵用容器（６）の台座（１７）の角及び中央の足部（１９〜２２；２３，２５，２６）に、一体的に形成されたリベット軸（３４，３５）が転造されていることを特徴とする請求項１〜９のいずれか１つに記載の中空リベット結合装置。
【発明の詳細な説明】
【技術分野】
【０００１】
本発明は、パレット状の台座と、この台座の上に存在する、閉鎖可能な注入パイプ及び採取用フィッティングを接続するための排出パイプを有する合成物質から成る内部容器と、並びに格子又は金属板のジャケットとして形成された外部ジャケットとを装備しており、金属板、合成物質又は木材から成る台座が、内部容器を支持するための底部並びに角及び中央の足部を備え、これらの足部が、足部フレーム又はスキッドに取り付けられており、これらの足部に台座の底部並びに内部容器の外部ジャケットが固定されている特に液体及びばら荷のための輸送及び貯蔵用容器を組み立てるための金属、合成物質又は木材から成る部品と金属又は合成物質から成る部品を結合するための中空リベット結合装置に関する。
【背景技術】
【０００２】
特許文献１から公知の前記様式の液体のための輸送及び貯蔵用容器を組み立てる場合、金属から成る格子ケージの下部フレームと、その上に液体のための合成物質の内部容器が存在するパレット状の台座の金属板底部は、台座の角及び中央の足部とネジ止めされ、これらの足部は、台座の足部フレームと溶接される。異なった結合技術の適用と、これを条件とする著しい組立て費用と、並びにタッピングネジ及びワッシャのような組立てのための小部品の必要とによって、液体容器の製造コストは、相応に値段が上昇する。
【特許文献１】独国特許第１００  ６２  ０８８号明細書
【発明の開示】
【発明が解決しようとする課題】
【０００３】
本発明の基本にある課題は、簡素化された対象の組立て及び異なった様式の設置を可能にする金属、合成物質又は木材から成る材料及び部品のための結合技術を開発することである。
【課題を解決するための手段】
【０００４】
この課題は、本発明によれば、特許請求項１の特徴を有する中空リベット結合装置によって解決される。
【０００５】
下位の請求項は、本発明による中空リベット結合装置を特許請求項１の上位概念による液体のための輸送及び貯蔵用容器の個々の部品に装備することを内容とする。
【０００６】
本発明の思想は、中空リベット及び相応のリベット孔を、金属、合成物質または木材から成る異なった様式の材料及び部品に統合することに基づいており、従って、組み立てる際に材料及び部品を結合するためには、接合技術、即ちリベット止めだけが使用され、セットヘッドを有する個別の中空リベットは、もはや必要ない。この方式で、組立て費用が軽減され、製造コストが低減される。
【発明を実施するための最良の形態】
【０００７】
本発明を、以下で図面を基にして説明する。
【０００８】
図１ａ〜１ｃに図示された金属板から成る２つの部品１，２の中空リベット結合装置は、第１の部品１に形成された、第１の部品１に当接する第１の部品１と結合すべき第２の部品２のリベット孔４に差し込むためのリベット軸３を備える。両方の部品１，２のリベット止めをする場合、第２の部品２におけるリベット孔４に差し込まれ、かつこの第２の部品を越えて突出するリベット軸３の自由端３ａは、ハンマ又は特別なリベット工具によって第２の部品２に当接する閉鎖ヘッド５と成るように変形される。
【０００９】
リベット軸３は、例えばスライダで第１の部品１に転造することができる。
【００１０】
前記の中空リベット結合装置の変化させた実施形の場合、リベット軸３は、個別の部品として第１の部品１に溶接される。
【００１１】
以下に、液体のための輸送及び貯蔵用容器の個々の部品への組立てに対する本発明による中空リベット結合装置の応用を説明する。
【００１２】
使い捨て及び再使用用容器として使用される液体及びばら荷のための図２及び３による輸送及び貯蔵用容器６は、主要部品として、キャップ９で閉鎖可能な上底部１０における注入パイプ８と、採取及び洗浄コック１３を接続するための下底部１２の領域内にある排出パイプ１１とを備えている合成物質から成る交換可能な角形の内部容器７を、また格子ケージ１４として形成された、金属から成る交差する水平及び垂直な格子棒１５，１６から成る外部ジャケットを、並びに欧州標準仕様の長さ及び幅寸法を有する金属から成るパレット状の台座１７を備える。
【００１３】
処理のためにフォークリフト、入出庫ユニット及びそのような輸送手段によって設置される輸送及び貯蔵用容器６のパレット状の台座１７は、内部容器７を支持するための金属板から成る底部１８を備えている。台座１７の底部１８は、金属板から成る４つの角足部１９〜２２及び後の中央足部２３、内部容器７の採取及び洗浄コック１３の下に配設されている底部１８から形成された前方の中央足部２４、並びに２つの横の中央足部２５，２６上に載っている。台座１７の角及び中央の足部１９〜２６は、足部フレーム２７上に固定されている。
【００１４】
図４及び５による輸送及び貯蔵用容器６の台座１７の角足部１９は、台座１７の平坦なバスタブ状の底部１８の外縁部３０及び格子ケージ１４として形成された外部ジャケットの下部フレーム３１を載置するための上の支持縁部２９並びに下の接地縁部３２を有する湾曲したシェル用金属板２８によって構成され、この接地縁部で、角足部１９は、台座１７の足部フレーム２７上に立っている。複数の輸送用容器６を積み重ねる場合、それぞれ積み上げられる輸送用容器は、角足部１９〜２２の下の接地縁部３２でそれぞれ重ねられる輸送用容器の格子ケージ１４の上部フレーム３３上に支持される。
【００１５】
角足部１９のシェル用金属板２８の上の支持縁部２９の２つの外側の部分２９ａ，２９ｂには、２つの上の中空のリベット軸３４，３４が、シェル用金属板２８の下の接地縁部３２の２つの外側の部分３２ａ，３２ｂには、２つの下の中空のリベット軸３５，３５が配設されている。上下のリベット軸３４，３５は、上もしくは下に向かって角足部１９を越えて突出する。角足部１９のシェル用金属板２８における下のリベット軸３５，３５は、上のリベット軸３４，３４に対して平行に内側に向かって、また垂直方向に角足部１９の上の支持縁部２９と下の設置縁部３２の垂直間隔３６に応じて互いにずらされて配設されている。
【００１６】
角足部１９のそれぞれ１つの上下のリベット軸３４，３５は、チューブ部材３７の２つの曲がった端部によって構成されており、その際、チューブ部材３７，３７は、角足部１９のシェル用金属板２８の外縁部２８ａ，２８ｂから内側に向かって曲げられた傾斜した２つの外側の脚部３８，３９に形成、特に転造されている。
【００１７】
角足部１９の変化させた実施形の場合、それぞれ１つの上下のリベット軸３４，３５を有するチューブ部材３７は、シェル用金属板２８に溶接されている。
【００１８】
角足部１９の外側の脚部３８，３９の内側に転造されたそれぞれ１つの上下のリベット軸３４，３５を有するチューブ部材３７によって、角足部１９の脚部３８，３９は補強される。この補強によって、輸送及び貯蔵用容器６の台座１７を運び入れる場合及び輸送車両、特にフォークリフトのグリップアームによって容器をずらす場合の角足部１９の損傷が回避される。
【００１９】
輸送及び貯蔵用容器６の台座１７と格子ケージ１４を組み立てる場合、角足部１９〜２２の上のリベット軸３４は、底部１８の外縁部３０における及びリベット孔４１の領域内が平らにされた格子ケージ１４の下部フレーム３１における相応の合同のリベット孔４０，４１に差し込まれ、相応のリベット孔４２を備えているこれらリベット孔の領域内が平らにされた台座１７の足部フレーム２７は、角足部１９〜２２の下のリベット軸３５に取り付けられる。引き続き、角足部１９〜２２のリベット孔４１の領域内が平らにされた格子ケージ１４の下部フレーム３１を越えて突出する上のリベット軸３４の自由端３４ａと、リベット孔４２の領域内が平らにされた台座１７の足部フレーム２７を越えて突出する下のリベット軸３５の自由端３５ａとは、リベット工具で閉鎖ヘッド４３と成るように変形され、従って、角足部１９〜２２は、一方では底部１８及び格子ケージ１４の下部フレーム３１と、他方では足部フレーム２７とリベット止めされる。
【００２０】
図６による角足部１９の別の実施形の場合、上のリベット軸３４，３４は、シェル用金属板２８の２つの外縁部２８ａ，２８ｂに、また下のリベット軸３５，３５は、シェル用金属板２８の縁部２８ａ，２８ｂから内側に向かって曲げられた２つの外側の脚部４４，４５に転造されている。
【００２１】
更に、図６による角足部１９の場合、上下のリベット軸３４，３５をシェル用金属板２８及びその脚部４４，４５に溶接する可能性がある。
【００２２】
その内の一方２５が図７〜９に図示されている横の中央足部２５，２６と台座１７の後の中央足部２３は、支持面４８を備える上の壁４７と、接地面５０を有する下の壁４９と、ボックス４６の２つの側面５１，５２に転造されたそれぞれ１つの下のリベット軸３５を有する２つのチューブ部材５３，５３と、上のボックス壁４７の支持面４８に転造された２つの上のリベット軸３４，３４とを有する開放したボックス４６の形を備えている。中央足部２３，２５，２６は、その自由端３４ａ，３５ａが閉鎖ヘッド４３と成るように変形可能である上下のリベット軸３４，３５によって角足部１９〜２２と同じ方式で底部１８の外縁部３０及びこの外縁部上に載置されている格子ケージ１４の下部フレーム３１並びに足部フレーム２７とリベット止めされる。
【００２３】
２つの横の中央足部２５，２６の下の壁４９は、内側に、台座底部１８の中心の補強ウェブ５５の下に向かって曲がった２つの外側の端部５６のそれぞれ１つのための支持面５４を備えており、中央足部２５，２６の下のボックス壁４９から、台座底部１８の補強ウェブ５５の端部５６と中央足部をリベット止めするための内側に向かって整向された２つの中空のリベット軸５７，５８が形成されている（図３，７〜９）。
【００２４】
リベット止めによる代わりに、横の中央足部２５，２６は、貫通接合として公知の接合方法によって台座底部１８の補強ウェブ５５の端部５６と互いに結合することができる。更に、リベット軸３４，３５，５７，５８を個別のスリーブとして横の中央足部２５，２６に溶接するという可能性がある。
【００２５】
図１０は、セグメント化された一体的なボックス形状４６を有する台座１７の横の中央足部２５を示す。
【００２６】
図１１に図示された台座１７の横の中央足部２５は、支持面４８を備える上の壁４７と、接地面５０を有する下の壁４９と、ボックス４６の２つの傾斜した側壁５１，５２に転造されたそれぞれ１つの上下のリベット軸３４，３５を構成する２つの曲がった端部を有する２つのチューブ部材５３，５３とを有する開放したボックス４６の形を備えている。横の中央足部２５の下の壁４９は、台座底部１８の中心の補強ウェブ５５の２つの端部５６の一方のための内側の支持面５４と、並びに補強ウェブ５５の一方の端部５６と中央足部をリベット止めするための２つのリベット軸５７，５８とを備える。
【００２７】
図１２によれば、底部と一体的に製造された前方の中央足部２４の両側で台座底部１８と格子ケージ１４の下部フレーム１４を結合するために、下部フレーム３１から形成されたそれぞれ２つの中空のリベット軸５９，５９が使用され、これらのリベット軸は、底部１８の外縁部３０におけるリベット孔４０に差し込まれ、これらリベット軸の自由端５９ａは、リベット工具によって底縁部３０の下側６０に対して閉鎖ヘッド４３と成るように変形されている。
【００２８】
格子ケージ１４の下部フレーム３１から形成されたリベット軸５９の代わりに、台座底部１８と格子ケージの下部フレームをリベット止めするために、個別の中空リベットが使用されてもよい。
【００２９】
図３によれば、台座１７の前方の中央足部２４は、セットヘッドを有する中空リベット６１によって足部フレーム２７上に固定されている。
【００３０】
図１３は、その台座１７が木製スキッド６２を装備されている液体のための輸送及び貯蔵用容器６を示す。
【００３１】
図１４に図示された台座１７の横の中央足部２５を台座１７の木製スキッド６２に固定するため、中央足部２５の２つの下のリベット軸３５は、木製スキッド６２の相応の垂直孔６３に差し込まれる。引き続き、それぞれ１つのワッシャ６４が、木製スキッド６２を越えて突出するリベット軸３５の自由端３５ａに挿入することができ、これにより、リベット軸３５の端部３５ａが、リベット工具によって閉鎖ヘッド４３と成るように変形され、これらの閉鎖ヘッドは、垂直孔６３の凹部６５内に入っている。
【００３２】
同じ方式で、第２の横の中央足部２６と後の中央足部２３と４つの角足部１９〜２２が台座１７の木製スキッド６２に取り付けられる。前方の中央足部２４を台座１７の中央の木製スキッド６２上に固定するため、セットヘッドを有する中空リベットが使用される。
【図面の簡単な説明】
【００３３】
【図１ａ】図１ｂの線Ｉａ−Ｉａによる金属板から成る２つの部品の中空リベット結合装置の概略断面図を示す。
【図１ｂ】図１ａによる中空リベット結合装置の平面図を示す。
【図１ｃ】形成されたリベット軸を有する第１の部品の側面図を示す。
【図２】金属から成るパレット状の台座を有する液体のための輸送及び貯蔵用容器の斜視図を示す。
【図３】内部容器のない図２による輸送及び貯蔵用容器の分解図を示す。
【図４】拡大図にて輸送及び貯蔵用容器の台座の角足部の第１の実施形の内面斜視図を示す。
【図５】台座の底部の外縁部及び格子ケージの下部フレーム並びに台座の足部フレームを含めた図４による角足部の中空リベット結合装置の拡大した断面図を示す。
【図６】拡大図にて輸送及び貯蔵用容器の台座の角足部の別の実施形の内面斜視図を示す。
【図７】拡大図にて輸送及び貯蔵用容器の台座の横の中央足部の第１の実施形の斜視図を示す。
【図８】図７による横の中央足部の側面図を示す。
【図９】台座の底部の外縁部と格子ケージの下部フレームと台座の足部フレームを含めた図７及び８による中央足部の中空リベット結合装置の拡大断面図を示す。
【図１０】拡大図にて輸送及び貯蔵用容器の台座の中央足部の別の実施形の斜視図を示す。
【図１１】拡大図にて台座の中央足部の第３の実施形の内面斜視図を示す。
【図１２】拡大図にて前方の排出用窪みの領域内にある台座の底部の外縁部を含めた格子ケージの下部フレームの中空リベット結合装置を示す。
【図１３】木製スキッドを装備した台座を有する輸送及び貯蔵用容器の斜視図を示す。
【図１４】台座の底部の外縁部と格子ケージの下部フレームと図１３による容器の台座の木製スキッドを含めた横の中央足部の中空リベット結合装置の断面斜視図を示す。
【符号の説明】
【００３４】
１                第１の部品
２                第２の部品
３                リベット軸
３ａ              リベット軸の自由端
４                リベット孔
５                閉鎖ヘッド
６                輸送及び貯蔵用容器
７                内部容器
８                注入パイプ
９                キャップ
１０              上底部
１１              排出パイプ
１２              下底部
１３              採取及び洗浄コック
１４              格子ケージ
１５，１６        格子棒
１７              台座
１８              底部
１９〜２２        角足部
２３              後の中央足部
２４              中央足部
２５，２６        横の中央足部
２７              足部フレーム
２８              シェル用金属板
２８ａ，２８ｂ    外縁部
２９              支持縁部
２９ａ，２９ｂ    外側の部分
３０              外縁部
３１              下部フレーム
３２              接地縁部
３２ａ，３２ｂ    外側の部分
３３              上部フレーム
３４              上のリベット軸
３４ａ            自由端
３５              下のリベット軸
３５ａ            自由端
３６              垂直間隔
３７              チューブ部材
３８，３９        外側の脚部
４０，４１        リベット孔
４２              リベット孔
４３              閉鎖ヘッド
４４，４５        外側の脚部
４６              ボックス
４７              上の壁
４８              支持面
４９              下の壁
５０              接地面
５１，５２        側壁
５３              チューブ部材
５４              支持面
５５              補強ウェブ
５６              端部
５７，５８        リベット軸
５９              リベット軸
６０              下側
６１              中空リベット
６２              木製スキッド
６３              垂直孔
６４              ワッシャ
６５              凹部
【図１ａ】
2005246481.tif 000003
【図１ｂ】
2005246481.tif 000004
【図１ｃ】
2005246481.tif 000005
【図２】
2005246481.tif 000006
【図３】
2005246481.tif 000007
【図４】
2005246481.tif 000008
【図５】
2005246481.tif 000009
【図６】
2005246481.tif 000010
【図７】
2005246481.tif 000011
【図８】
2005246481.tif 000012
【図９】
2005246481.tif 000013
【図１０】
2005246481.tif 000014
【図１１】
2005246481.tif 000015
【図１２】
2005246481.tif 000016
【図１３】
2005246481.tif 000017
【図１４】
2005246481.tif 000018